(57)【要約】【課題】サーバに過大な処理負担を強いることなくユーザの利便性向上をはかる。【解決手段】通信網を介して３者通話が可能なグループ通話システムにおける通信機器１００であって、その制御部５０は、話者を特定し、特定された話者により発話される音声を他の話者に比べて聞き取りやすくするように音声出力を変更する制御を行う。【選択図】図４
2014233000.tif 000002
【特許請求の範囲】
【請求項１】
話者を特定し、前記特定された話者により発話される音声の出力先および出力特性の少なくとも一方を変更する制御を行う制御部、
を有することを特徴とする通信機器。
【請求項２】
前記制御部は、
前記特定された話者により発話される音声の音量を変更することを特徴とする請求項１記載の通信機器。
【請求項３】
前記制御部は、
前記特定された話者により発話される音声の音声信号処理を変更することを特徴とする請求項１記載の通信機器。
【請求項４】
第１のスピーカと、第２のスピーカと、を更に有し、
前記制御部は、
前記特定された話者に対して前記第２のスピーカを割り当てて出力先を変更することを特徴とする請求項１記載の通信機器。
【請求項５】
操作部と、表示部と、を更に有し、
前記制御部は、
通話中に前記表示部に所定の画面を表示し、前記操作部によって前記話者を特定し、前記出力先を切り替えるための所定の操作が行われると、前記特定された話者について前記出力先を切り替えることを特徴とする請求項１乃至請求項４のいずれか記載の通信機器。
【請求項６】
前記制御部は、
前記通信網を介して到来するパケットに含まれるアドレスにより前記話者を特定して前記出力先を切り替えることを特徴とする請求項１乃至請求項４のいずれか記載の通信機器。
【請求項７】
通信機器の音声出力変更方法であって、
話者を特定するステップと、
前記特定された話者により発話される音声の出力先および出力特性の少なくとも一方を変更するステップと、
を有することを特徴とする通信機器における音声出力変更方法。
【発明の詳細な説明】
【技術分野】
【０００１】
本発明は、例えば、通信網を介して３者通話が可能なグループ通話システムに用いて好適な通信機器、および音声出力変更方法に関する。
【背景技術】
【０００２】
従来、複数の人が同時に会話することが可能なグループ通話サービスが電話会社のサービスの一つとして運用されている。このグループ通話サービスによれば、例えば、話者の一人の周囲が高騒音環境にいた場合、その騒音が全ての話者に伝わるため聞き取りにくい、あるいは複数人が同時に話した場合聞き取りにくいという問題が発生する。
【０００３】
この問題を解決するために、例えば、特許文献１に、サーバが、端末毎に異なる受話音声信号を予め接続する端末毎に最適化されたレベルに調整して送信することで、聞き取りが容易なグループ通話を実現する技術が開示されている。
【先行技術文献】
【特許文献】
【０００４】
【特許文献１】特開２０１０−５０６９５号公報
【発明の開示】
【発明が解決しようとする課題】
【０００５】
上記した特許文献１に開示された技術によれば、高騒音環境下にあっても騒音に邪魔されることなく、確実に音声通話による相互連絡や確認が可能な通話システムを提供することができるとされている。しかしながら、サーバにおける処理が複雑化して、かつ、端末側では、騒音が入り込むことを抑制する耳穴挿入形のマイクイヤホンや、騒音処理装置を備えた全二重通信に対応する防雑ヘッドセットが必要になり、ユーザの利便性を損なうといった問題が新たに発生する。
【０００６】
また、通話している相手が高騒音環境にいた場合、通話している相手の声が聞き取りにくいという問題は、グループ通話サービスに限らず、一対一の通話でも起こりうる。
【０００７】
本発明は上記した課題を解決するためになされたものであり、サーバに過大な処理負担を強いることなく、ユーザの利便性向上をはかった、通信機器、および音声出力変更方法を提供することを目的とする。
【課題を解決するための手段】
【０００８】
上記した課題を解決するために本発明の第１の態様に係る通信機器は、話者を特定し、前記特定された話者により発話される音声の出力先および出力特性の少なくとも一方を変更する制御を行う制御部、を有することを特徴とする。
【０００９】
本発明の第２の態様に係る通信機器の音声出力変更方法は、話者を特定するステップと、前記特定された話者により発話される音声の出力先および出力特性の少なくとも一方を変更するステップと、を有することを特徴とする。
【発明の効果】
【００１０】
本発明の一態様によれば、サーバに過大な処理負担を強いることなく、ユーザの利便性向上をはかった、通信機器、および音声出力変更方法を提供することができる。
【図面の簡単な説明】
【００１１】
【図１】本発明の実施の形態に係る通信機器の外観を示す斜視図である。
【図２】本発明の実施の形態に係る通信機器の外観を示す前面図である。
【図３】本発明の実施の形態に係る通信機器の外観を示す裏面図である。
【図４】本発明の実施の形態に係る通信機器の電気的構成を示すブロック図である。
【図５】ＶｏＩＰ通信を用いたグループ通話サービスの一例を示す図である。
【図６】図５のグループ通話サービスにおける発呼シーケンスを示す図である。
【図７】本発明の実施形態に係る通信機器の通話中における第三者への発信方法と音声出力先設定画面の一例を示す図である。
【図８】本発明の実施形態に係る通信機器の通話中における音声出力先設定画面の一例を示す図である。
【図９】本発明の実施形態に係る通信機器の音声処理シーケンスを示す図である。
【図１０】本発明の実施形態に係る通信機器のＩＰアドレス−音声出力先リストの作成動作を示すフローチャートである。
【図１１】本発明の実施形態に係る通信機器の音声出力先切り替え動作を示すフローチャートである。
【発明を実施するための形態】
【００１２】
以下、添付図面を参照して、本発明を実施するための形態（以下、本実施形態という）について詳細に説明する。なお、本実施形態の説明の全体を通して同じ要素には同じ番号を付している。
【００１３】
（実施形態の構成）
図１〜３は、それぞれ、本実施形態に係る通信機器１００の外観を示す斜視図、前面図及び裏面図である。なお、本実施形態に係る通信機器１００は、例えば、携帯電話機である。
【００１４】
図１に示されるように、通信機器１００は、カバーパネル１とケース部分２を備えており、カバーパネル１とケース部分２とが組み合わされることによって、平面視で略長方形の板状を成す機器ケース３が構成されている。
【００１５】
カバーパネル１は、平面視において略長方形を成しており、通信機器１００の前面部分における、周縁部分以外の部分を構成している。カバーパネル１は、例えば、透明のガラスあるいは透明のアクリル樹脂で形成されている。ケース部分２は、通信機器１００の前面部分に周縁部分、側面部分及び裏面部分を構成している。ケース部分２は、例えばポリカーボネート樹脂で形成されている。
【００１６】
カバーパネル１には、表示部分１ａが設けられ、文字、記号、図形等の各種情報が表示される。表示部分１ａは例えば平面視で長方形を成している。カバーパネル１における、表示部分１ａを取り囲む周縁部分１ｂは、例えばフィルム等が貼られることによって黒色となっており、情報が表示されない非表示部分になっている。カバーパネル１の内側主面には後述するタッチパネル５３が貼り付けられており、使用者は、カバーパネル１の表示部分１ａを指等で操作することによって、通信機器１００に対して各種指示を与えることができる。
【００１７】
機器ケース３の内部には、複数の操作ボタン５４ａを備えるスイッチ部５４が設けられている。各操作ボタン５４ａは、いわゆる「ハードキー」であって、その表面が、カバーパネル１の外側主面１０の下側端図から露出している。カバーパネル１の下側端部には、複数の操作ボタン５４ａを露出させるための穴があけられている。また、図２に示されるように、機器ケース３の内部には、後述する圧電振動素子５５ａが設けられている。また
、圧電振動素子５５ａ近傍には、通常スピーカ５６（第１のスピーカ）が設けられている。なお、圧電振動素子５５ａを使用した伝導スピーカ５５は、通常スピーカ５６よりも発話される音声が聞き取りやすい。詳細は後述する。
【００１８】
なお、本実施形態の通信機器１００では、「ハードキー」である操作ボタン５４ａが備えられているが、この各操作ボタン５４ａの個数は適宜変更しうるし、各操作ボタン５４ａが備えられていない通信機器１００であってもよい。
【００１９】
図３に示されるように、通信機器１００の裏面１０１、言い換えれば機器ケース３の裏面には、マイク穴２１があけられている。また通信機器１００の裏面１０１からは、後述する撮像部５８が有する撮像レンズ５８ａが露出している。
【００２０】
図４は、本実施形態に係る通信機器１００の電気的構成を示すブロック図である。図４に示されるように、通信機器１００は、制御部５０、無線通信部５１、表示パネル５２（表示部）、タッチパネル５３（操作部）、スイッチ部５４、圧電振動素子による伝導スピーカ５５（第２のスピーカ）、通常スピーカ５６（第１のスピーカ）、マイク５７、撮像部５８、音声処理部５９、及び電池６０を備えており、これらの構成要素は、機器ケース３内に収められている。
【００２１】
制御部５０は、ＣＰＵ５０ａ及び記憶部５０ｂ等を備えており、通信機器１００の他の構成要素を制御することによって、通信機器１００の動作を統括的に管理する。記憶部５０ｂは、ＲＯＭ及びＲＡＭ等で構成されている。制御部５０は、ＣＰＵ５０ａが記憶部５０ｂ内の各種プログラムを実行することによって、様々な機能を実行する。例えば、制御部５０（ＣＰＵ５０ａ）は、話者を特定し、特定された話者により発話される音声を他の話者に比べて聞き取りやすくするように音声出力を変更する。
【００２２】
このとき、制御部５０は、特定された話者により発話される音声の音量を変更制御してもよい。また、特定された話者により発話される音声の音声信号処理を変更制御してもよい。また、特定された話者に対して伝導スピーカ５５を割り当てて出力先を変更してもよい。制御部５０は、通話中に表示パネル５２に表示される話者特定画面にしたがいタッチパネル５３を操作することによって特定される話者の情報を取り込んで出力先を切り替えてもよい。話者特定画面は、話者を特定して音声の出力先や出力特性などを変更することができる画面である。制御部５０は、通話中に表示パネル５２に話者特定画面を表示させ、特定の話者を選択して出力先を切り替えるタッチ操作が行われたことを検出すると、特定された話者に対して出力先を切り替えることができる。
【００２３】
あるいは、制御部５０は、図示省略したＩＰ（Internet  Protocol）ネットワーク網等の通信網を介して到来するパケットに含まれるアドレスにより話者を特定して出力先を切り替えてもよい。この場合、例えば電話帳の画面を利用することにより、話者毎に予め出力先を設定しておくことができる。通信網を介してパケットが到来すると、そのパケットに含まれるアドレスによって話者を特定し、その話者に対応する（予め設定しておいた）出力先に話者からの音声を出力することができる。
【００２４】
無線通信部５１は、通信機器１００とは別の携帯電話機、あるいはＩＰネットワークに接続されたウェブサーバ等の通信装置からの信号を基地局経由でアンテナ５１ａを介して受信する。無線通信部５１は、受信信号に対して増幅処理及びダウンコンバートを行って制御部５０に出力する。このとき制御部５０は、入力される受信信号に対して復調処理等を行って、当該受信信号に含まれる、音声や音楽などを示す音信号などを取得する。また無線通信部５１は、制御部５０で生成された、音信号等を含む送信信号に対してアップコンバート及び増幅処理を行って、処理後の送信信号をアンテナ５１ａから無線送信する。
アンテナ５１ａからの送信信号は、図示省略した基地局を通じて、通信機器１００とは別の携帯電話機、あるいはインターネットに接続された通信装置で受信される。
【００２５】
表示パネル５２（表示部）は、例えば、液晶表示パネルあるいは有機ＥＬパネルであって、制御部５０によって制御されることによって、文字、記号、図形などの各種情報を表示する。表示パネル５２に表示される情報は、カバーパネル１の表示部分１ａに表示されることによって、当該情報は通信機器１００の使用者に視認可能となる。
【００２６】
タッチパネル５３（操作部）は、例えば、投影型静電容量方式のタッチパネルであって、カバーパネル１の表示部分１ａに対する使用者の操作を検出する。タッチパネル５３は、カバーパネル１の内側主面に貼り付けられており、互いに対向配置されたシート状の２つの電極センサーを備えている。２つの電極センサーは透明粘着性シートによって貼り合わされている。
【００２７】
一方の電極センサーには、それぞれがＸ軸方向（例えば通信機器１００の左右方向）に沿って延在し、かつ互いに平行に配置された複数の細長いＸ電極が形成されている。他方の電極センサーには、それぞれがＹ軸方向（例えば通信機器１００の上下方向）に沿って延在し、かつ互いに平行に配置された複数の細長いＹ電極が形成されている。カバーパネル１の表示部分１ａに対して使用者の指が接触すると、その接触箇所の下にあるＸ電極及びＹ電極の間の静電容量が変化することによって、タッチパネル５３においてカバーパネル１の表示部分１ａに対する操作が検出される。タッチパネル５３において生じる、Ｘ電極及びＹ電極の間の静電容量変化は制御部５０に伝達され、制御部５０は当該静電容量変化に基づいてカバーパネル１の表示部分１ａに対して行われた操作の内容を特定し、それに応じた動作を行う。
【００２８】
スイッチ部５４は、複数の操作ボタン５４ａのそれぞれについて、当該操作ボタン５４ａが使用者によって押下されると、当該操作ボタン５４ａが押下されたことを示す操作信号を制御部５０に出力する。制御部５０は、入力される操作信号に基づいて、複数の操作ボタン５４ａのうちのどの操作ボタン５４ａが操作されたかを特定し、操作された操作ボタン５４ａに応じた動作を行う。
【００２９】
伝導スピーカ５５は、受話音を通信機器１００の使用者に伝える圧電振動素子を使用したスピーカである。伝導スピーカ５５は、圧電振動素子５５ａとカバーパネル１とで構成される。圧電振動素子５５ａは、制御部５０から与えられる駆動電圧によって振動させられる。制御部５０は、受話音を示す音信号に基づいて駆動電圧を生成し、当該駆動電圧を圧電振動素子５５ａに印加する。圧電振動素子５５ａが、制御部５０によって受話音を示す音信号に基づいて振動させられることによって、カバーパネル１が音信号に基づいて振動し、その結果、通信機器１００の使用者に受話音が伝達される。このように、制御部５０は、音信号に基づいて圧電振動素子５５ａを振動させる駆動部としても機能する。使用者は、耳をカバーパネル１に接触させることによって、明瞭に音声を聞くことができる。
【００３０】
なお、通常スピーカ５６は、制御部５０からの電気的な音信号を音に変換して出力する。また、マイク５７は、通信機器１００の外部から入力される音を電気的な音信号に変換して制御部５０に出力する。通信機器１００の外部からの音は、当該通信機器１００の裏面１０１に設けられたマイク穴２１から当該通信機器１００の内部に取り込まれて、マイク５７に入力される。
【００３１】
撮像部５８は、撮像レンズ５８ａ及び撮像素子などで構成されており、制御部５０による制御に基づいて、静止画像及び動画像を撮像する。撮像素子は、ＣＣＤやＣＭＯＳなどのイメージセンサである。
【００３２】
音声処理部５９は、マイク５７を介して入力される音声信号や、通常スピーカ５６や伝導スピーカ５５から出力される音声信号の入出力処理を行う。すなわち、マイク５７から入力される音声を増幅し、アナログ−デジタル変換を行い、更に符号化等の信号処理を施し、デジタルの音声データに変換して制御部５０に出力する。また、制御部５０から出力される音声データに復号化、デジタル−アナログ変換、増幅等の信号処理を施し、アナログの音声信号に変換して通常スピーカ５６あるいは伝導スピーカ５５に出力する。なお、音声処理部５９は、通常スピーカ５６あるいは伝導スピーカ５５に出力される音声信号の音量調整も行うことができる。
【００３３】
なお、電池６０は、通信機器１００の電源を出力する。電池６０から出力された電源は、通信機器１００が備える制御部５０や無線通信部５１などに含まれる各電子部品に対して供給される。
【００３４】
（実施形態の動作）
以下、図１〜図４に示す本実施形態に係る通信機器１００の動作について、図５〜図１１を参照しながら詳細に説明する。
【００３５】
まず、グループ通話サービスについて、図５を用いて説明する。図５に示すように、ＶｏＩＰ（Voice  over  IP）通話において、話者Ａは、司会者である話者Ｂと、話者Ｃと
の間でグループ通話により会議を行うシーンを想定する。話者Ａから話者Ｂ，Ｃへ発呼する手順は、例えば、図６に示す発呼シーケンスにしたがう。具体的に、話者Ａは、話者Ｂに対して発信し（ステップＳ１）、話者Ｂから応答を受信することにより通話が開始される（ステップＳ２）。その後、話者Ａは話者Ｂと二者通話中に（ステップＳ３）、話者Ｃに対して発信して（ステップＳ４）、話者Ｃから応答を得ることにより（ステップＳ５）、話者Ｃとも通話を開始することにより三者通話が実現される（ステップＳ６）。
【００３６】
図５に示す、話者Ａが話者Ｂと通話中に、話者Ｃとの通話を開始する際の発信方法が図７（ａ）に示されている。図７（ａ）に示すように、話者Ａは、表示パネル５２に表示される「Ｃｏｎｔａｃｔｓ」ボタンを押下することで電話帳アプリを起動し、話者Ｃ（京セラ花子）を選択することで三者通話が開始されるものとする。なお、このとき、通話は継続される。本実施形態に係る通信機器１００では、通話中にいずれの話者に伝導スピーカ５５を割り当てるかについての設定を行うことができる。なお、伝導スピーカ５５から出力される音声は、通常スピーカ５６から出力される音声より聞き取りやすいことは上記した通りである。
【００３７】
通話中、特定の話者の音声出力先を通常スピーカ５６から伝導スピーカ５５に変更する場合の設定画面を図７（ｂ）に示している。三者通話中、話者Ａが、図７（ａ）に示す表示パネル５２に表示された「ＳＰ」ボタンを押下することで、図７（ｂ）に示す音声出力設定ダイアログに遷移する。ここで、話者Ａが、音声出力設定ダイアログに選択項目として表示された伝導スピーカ５５もしくは通常スピーカ５６のいずれかを選択することで、話者Ｂ（京セラ太郎）の音声出力先を任意に切り替えることが可能である。
【００３８】
また、図７（ｂ）に示す音声出力設定ダイアログに遷移することなく、表示パネルに５２に表示されたアイコンをタッチすることにより、伝導スピーカ５５もしくは通常スピーカ５６の切り替えが行われてもよい。例えば、図８に示された画面において、話者Ｂのスピーカボタン（実線で囲まれている）は、話者Ｂにより発話される音声が伝導スピーカ５５によって出力される、すなわち出力先が伝導スピーカ５５であることを示している。また、話者Ｃのスピーカボタン（破線で囲まれている）は、話者Ｃにより発話される音声が通常スピーカ５６によって出力される、すなわち出力先が通常スピーカ５６であることを
示している。
【００３９】
図８に示された画面において、話者Ｂのスピーカボタンがタッチされると、スピーカボタンの表示が、出力先が通常スピーカ５６であることを示す表示（図８における話者Ｃのスピーカボタンの表示）に切り替わるとともに、話者Ｂにより発話される音声の出力先が伝導スピーカ５５から通常スピーカ５６に切り替わる。一方、話者Ｃのスピーカボタンがタッチされると、スピーカボタンの表示が、出力先が伝導スピーカ５５であることを示す表示（図８における話者Ｂのスピーカボタンの表示）に切り替わるとともに、話者Ｂにより発話される音声の出力先が通常スピーカ５６から伝導スピーカ５５に切り替わる。なお、図８に示したスピーカボタンの表示は一例である。ユーザが、出力先のスピーカを確認することができるように、異なる出力先を示す複数のスピーカボタンの間で、色、形状、大きさ、デザイン等の少なくとも一つを異ならせればよい。
【００４０】
なお、通話前に予め出力先を設定しておくことも可能である。この場合、伝導スピーカ５５を割り当てる相手先の名前を予め登録しておくことで実現が可能であり、通信機器１００は、相手先の名前に割り当てられたＩＰアドレスを持つＩＰパケットを受信した場合に、伝導スピーカ５５から音声出力を行う。
【００４１】
図９に、本実施形態に係る通信機器１００の音声処理シーケンスが示されている。図９によれば、通信機器１００は、音声を発信する上り処理では、（ａ）マイク５７から収音した入力音声を、（ｂ）Ａ／Ｄ変換し、（ｃ）エコーキャンセラを通して（ｄ）音声圧縮した後、（ｅ）ＩＰパケットに組立て、（ｆ）ＩＰネットワークにパケットデータが出力される。逆に、音声を受信する下り処理では、（ｈ）ＩＰパケットのＩＰデータから音声データを伸長し、（ｃ）エコーキャンセラを通し、（ｊ）Ｄ／Ａ変換する。（ｉ）並行してＩＰヘッダを参照して話者を特定する。そして、（ｋ）音声出力先を切り替え、（ｌ）伝導スピーカ５５、（ｍ）または通常スピーカ５６音声出力する。
【００４２】
以下、本実施形態に係る通信機器１００の動作について、図１０、図１１のフローチャートを参照しながら詳細に説明する。
【００４３】
まず、図１０を参照して本実施形態に係る通信機器１００の音声出力先の設定動作から説明する。最初に、制御部５０（ＣＰＵ５０ａ）は、無線通信部５１により通話を開始すると（ステップＳ１０１“ＹＥＳ”）、ＩＰパケットのヘッダ部を参照して話者のＩＰアドレスを取得し（ステップＳ１０２）、話者に応じて設定された音声出力先を取得する（ステップ１０３）。ここで、特に設定されていなければ音声出力先として第１スピーカである通常スピーカ５６を設定する。そして、ＣＰＵ５０ａは、そのＩＰアドレスと音声出力先との対応情報を記憶部５０ｂの所定の領域に割り当てられて記憶されているＩＰアドレス−音声出力先リストに追加する（ステップＳ１０４）。
【００４４】
続いてＣＰＵ５０ａは、次の話者の情報を確認する（ステップＳ１０５）。具体的には、ＩＰパケットのヘッダ部を参照して上記と同じ動作を繰り返しＩＰアドレス−音声出力先リストに追加する操作を行う。以上の動作を通話に必要な確認対象の話者が無くなるまで（ステップＳ１０６“ＹＥＳ”）繰り返し実行する。このようにしてＩＰアドレスより音声出力先を切り替えるため、記憶部５０ｂの所定の領域に作成されたＩＰアドレス−音声出力先リストを割り当て、記憶しておくものとする。なお、この動作は通話開始直後のみならず、出力先変更時にも動的に実行する。
【００４５】
次に、図１１を参照して本実施形態に係る通信機器１００の音声出力先切り替え動作を説明する。図１１において、制御部５０（ＣＰＵ５０ａ）は、まず、無線通信部５１を介してＩＰパケットを受信すると（ステップＳ２０１）、そのＩＰヘッダ部からＩＰアドレ
スを取得し（ステップＳ２０２）、そのＩＰアドレスに基づき、記憶部５０ａの所定の領域に記憶されているＩＰアドレス−音声出力先リストを参照して音声出力先を特定する（ステップＳ２０３）。
【００４６】
続いてＣＰＵ５０ａは、通話中の音声出力先の設定変更の有無を判定し（ステップＳ２０４）、設定変更がなければ（ステップＳ２０４“ＹＥＳ”）、特定された音声出力先に対して受信したＩＰパケットのデータ部に含まれる音声出力情報を送信することにより、伝導スピーカ５５または通常スピーカ５６を介して音声出力する（ステップＳ２０５）。一方、変更があれば（ステップＳ２０４“ＮＯ”）、その変更に伴う音声出力先を切り替えて音声出力情報を送信することにより、その切り替え先である伝導スピーカ５５または通常スピーカ５６を介して音声出力する（ステップＳ２０６）。なお、通話中の音声出力先の設定変更があった場合、その変更はＩＰアドレス−音声出力先リストに反映されるが、リストを参照するタイミングの後で出力先の設定変更が行われる場合もあるため、ＣＰＵ５０ａは、ステップ２０４において、音声出力先の変更があったか否かを判断する。
【００４７】
（実施形態の効果）
以上説明のように本実施形態に係る通信機器１００によれば、制御部５０は、話者を特定し、特定された話者により発話される音声を他の話者に比べて聞き取りやすくするように音声出力を変更する。したがって、特定された話者の発話を聞き取りやすくすることができ、また、話者の特定、および音声出力の変更は通信機器１００内部で実行されるため、サーバに処理負担を強いることなくユーザの利便性向上をはかることができる。このとき、制御部５０は、特定された話者に対して、第１のスピーカ（通常スピーカ５６）よりも発話される音声が聞き取りやすい第２のスピーカ（伝導スピーカ５５）を割り当てて出力先を変更する。このため、簡単な仕組みで特定された話者の発話を聞き取りやすくすることができる。
【００４８】
また、本実施形態に係る通信機器１００によれば、制御部５０は、通話中に表示部（表示パネル５２）に表示される話者特定画面にしたがい操作部（タッチパネル５３）を操作することによって特定される話者の情報を取り込んで出力先を切り替える。したがって、ユーザは、ＧＵＩ（Graphical  User  Interface）による案内で出力先の設定を容易に実現できるため、利便性が向上する。なお、制御部５０は、通信網（ＩＰネットワーク）を介して到来するＩＰパケットに含まれるアドレスにより話者を特定して出力先を切り替えてもよい。
【００４９】
なお、制御部５０は、音声出力の変更にあたり、音声処理部５９を制御することにより、特定された話者により発話される音声の音量を変更するか、特定された話者により発話される音声の音声信号処理を変更してもよい。例えば、特定された話者より発話される音声の音量の大きくする、特定された話者より発話される音声を強調若しくは補正するといった処理を行ってもよい。
【００５０】
本実施形態に係る通信機器１００は、通信網を介して３者通話が可能なグループ通話システムにおいて、例えば、周囲が高騒音環境化にいる人や会議中の司会者（主催者）の声は第２のスピーカ（伝導スピーカ５５）を割り当て、他の出席者の声は第１のスピーカ（通常スピーカ５６）を割り当てることで特に顕著な効果が得られる。なお、本実施形態に係る通信機器１００として、携帯電話機のみ例示したが、他に、スマートフォン、タブレット端末、ＰＤＡ（Personal  Digital  Assistants）、ゲーム機、あるいはＰＣ（Personal  Computer）等、インターネット接続環境を有する全ての通信機器１００への
適用が可能である。
【００５１】
また、本実施形態においては、グループ通信システムにおける通信機器１００の動作を
説明したが、グループ通話システムに限らず、通常の一対一の通話においても同様に動作可能である。すなわち、一対一の通話においても、通信機器１００は、ＩＰアドレスや通話中の画面操作によって話者を特定し、その特定された話者により発話される音声の出力先および出力特性の少なくとも一方を変更することができる。
【００５２】
以上、本発明の好ましい実施形態について詳述したが、本発明の技術的範囲は上記実施形態に記載の範囲には限定されないことは言うまでもない。上記実施形態に、多様な変更または改良を加えることが可能であることが当業者に明らかである。またその様な変更、または改良を加えた形態も本発明の技術的範囲に含まれ得ることが、特許請求の範囲の記載から明らかである。
【符号の説明】
【００５３】
５０…制御部、５０ａ…ＣＰＵ、５０ｂ…記憶部、５１…無線通信部、５２…表示パネル（表示部）、５３…タッチパネル（操作部）、５４…スイッチ部、５５…伝導スピーカ（第２のスピーカ）、５６…通常スピーカ（第１のスピーカ）、５７…マイク、５８…撮像部、５９…音声処理部、６０…電池、１００…通信機器
【図１】
2014233000.tif 000003
【図２】
2014233000.tif 000004
【図３】
2014233000.tif 000005
【図４】
2014233000.tif 000006
【図５】
2014233000.tif 000007
【図６】
2014233000.tif 000008
【図７】
2014233000.tif 000009
【図８】
2014233000.tif 000010
【図９】
2014233000.tif 000011
【図１０】
2014233000.tif 000012
【図１１】
2014233000.tif 000013